(57)【特許請求の範囲】
【請求項１】
枠に障子を開閉自在に設けた建具であって、
前記枠と障子に、枠側部材と障子側部材を対向してそれぞれ取り付け、
前記枠側部材はマグネット又はマグネットが吸着する吸着部材を備え、
前記枠側部材は前記枠の上枠に取り付けると共に、その上枠は障子を移動自在にガイドするレールを有し、
前記障子側部材は、マグネット又はマグネットが吸着する吸着部材を備え、かつ前記レールに係止する係止部とガイド部を有し、
前記ガイド部は、前記障子の縦框の中空部に上下動自在に嵌合することで、前記障子側部材は、前記係止部が前記レールに係止して障子を閉じ位置で保持する保持位置と、前記係止部が前記レールと離れて障子を開き方向に移動可能とする保持解除位置とに渡って移動自在とし、上動位置が保持位置となり、
前記障子側部材は、障子が閉じ位置のときにマグネットの吸着力で保持位置に移動し、前記保持位置に移動した際に、前記係止部が上枠のレールに係止するようにし、
前記枠側部材を上枠に、面外方向においてレールに接近する方向及び離れる方向に移動自在取り付け、
前記障子に設けた摺動部材が前記上枠のレールに沿って移動し、この摺動部材が前記枠側部材と干渉することで枠側部材はレールと離れる方向に移動し、かつ障子が閉じ位置のときにマグネットの吸着力で枠側部材はレールに接近する方向に移動するようにしたことを特徴とする建具。
【発明の詳細な説明】
【技術分野】
【０００１】
本発明は、折戸や開き戸などのように、枠に障子を開閉自在に設けた建具に関する。
【背景技術】
【０００２】
従来、浴室の出入口に設ける折戸においては、障子を閉じ位置で保持する等のために、ラッチ装置を用いている。
例えば、特許文献１に開示したように、障子の上部にマグネットを備えたマグネットラッチを取り付け、枠の上部にラッチ受けを取り付け、障子を閉じることでマグネットラッチがラッチ受けに吸着され、障子を閉じ位置で保持し、弱い開き力では障子が開放しないようにしている。
【先行技術文献】
【特許文献】
【０００３】
【特許文献１】実開平５−３８２１８号公報
【発明の概要】
【発明が解決しようとする課題】
【０００４】
前述したマグネットラッチとラッチ受けを有したラッチ装置は、マグネットラッチの磁力でラッチ受けに吸着されるが、磁力だけでの保持では障子を閉じ位置で保持する力が弱く、障子が開放することがある。
【０００５】
本発明は、マグネットの吸着力を利用して障子を閉じ位置で保持できると共に、その保持する力を大きくできるようにした建具とすることである。
【課題を解決するための手段】
【０００６】
本発明は、枠に障子を開閉自在に設けた建具であって、
前記枠と障子に、枠側部材と障子側部材を対向してそれぞれ取り付け、
前記枠側部材はマグネット又はマグネットが吸着する吸着部材を備え、
前記枠側部材は前記枠の上枠に取り付けると共に、その上枠は障子を移動自在にガイドするレールを有し、
前記障子側部材は、マグネット又はマグネットが吸着する吸着部材を備え、かつ前記レールに係止する係止部とガイド部を有し、
前記ガイド部は、前記障子の縦框の中空部に上下動自在に嵌合することで、前記障子側部材は、前記係止部が前記レールに係止して障子を閉じ位置で保持する保持位置と、前記係止部が前記レールと離れて障子を開き方向に移動可能とする保持解除位置とに渡って移動自在とし、上動位置が保持位置となり、
前記障子側部材は、障子が閉じ位置のときにマグネットの吸着力で保持位置に移動し、前記保持位置に移動した際に、前記係止部が上枠のレールに係止するようにし、
前記枠側部材を上枠に、面外方向においてレールに接近する方向及び離れる方向に移動自在取り付け、
前記障子に設けた摺動部材が前記上枠のレールに沿って移動し、この摺動部材が前記枠側部材と干渉することで枠側部材はレールと離れる方向に移動し、かつ障子が閉じ位置のときにはマグネットの吸着力で枠側部材はレールに接近する方向に移動するようにしたことを特徴とする建具である。
【発明の効果】
【００１２】
本発明の建具によれば、障子が閉じ位置のときに障子側部材がマグネットの吸着力で保持位置に移動し、係止部がレールに係止して障子が開き方向に移動しないように閉じ位置で保持するので、マグネットの吸着力を利用して障子を閉じ位置で保持できる。
しかも、マグネットの吸着力のみではなく、係止部とレールが係止することで保持するので、その保持する力を大きくすることができる。
また、枠側部材と障子側部材にマグネットや吸着部材を設けたので、マグネットの吸着力によって障子側部材を保持位置に移動する力が大きい。
また、摺動部材が枠側部材と干渉することでレールと離れる方向に移動するため、枠側部材が摺動部材のレールに沿った移動の妨げになることがない。
【図面の簡単な説明】
【００１３】
【図１】本発明の実施の形態を示す折戸の正面図である。
【図２】図１のＡ−Ａ断面図である。
【図３】図１のＢ−Ｂ断面図である。
【図４】図１の保持装置取付部分の一部破断拡大図である。
【図５】図４のＣ−Ｃ断面図である。
【図６】図５において障子が開放した状態の断面図である。
【図７】枠側部材の取付部を示す見上げ図である。
【発明を実施するための形態】
【００１４】
図１に示すように、枠１に障子２を開閉自在に設けて建具としてある。
この枠１は、上枠１０と下枠１１と左右の縦枠１２で方形枠形状である。
障子２は、２つの障子２ａ，２ｂを有し、その各障子は、上框２０と下框２１と召合せ框（縦框）２２と戸先框（縦框）２３を方形状に連結し、その内部にガラスや樹脂プレートなどの面材２４を設けてある。
図２に示すように、上枠１０の面内方向内側の内側面（下面）１０ａにはレール１３が長手方向（図１における左右方向）に連続して有し、このレール１３は内側面１０ａよりも下方に突出している。
上枠１０の内側面１０ａにおける面外方向一側端（障子閉じ側端）には垂下片１４が設けてあり、この垂下片１４に、上框２０が接する上横シール材１５が設けてある。
下枠１１の面内方向内側の内側面（上面）１１ａにはレール１６が長手方向に連続して有し、このレール１６は内側面１１ａよりも上方に突出している。
【００１５】
各障子２ａ，２ｂの召合せ框２２は図３に示すように、中空部２２ａを有した本体２２ｂと連結部２２ｃを備え、その連結部２２ｃを継手２５で面外方向に回動自在に連結することで、２つの障子２ａ，２ｂを折り畳み自在としている。
図１に示すように、一方の障子２ａの戸先框２３の上下を上枠１０、下枠１１に面外方向に回動可能に連結し、他方の障子２ｂの戸先框２３の上下部に設けた摺動部材２６を図２に示すように、上枠１０のレール１３、下枠１１のレール１６に沿って面内方向（長手方向）に摺動自在に支承することで、折戸としてある。図１に示す折戸は浴室用折戸で、閉じ側が脱衣室側で、開き側が浴室側としてある。
本発明の建具は折戸に限ることはない。例えば、枠に１枚の障子を面外方向に回動自在に設けた開き戸でも良く、それ以外の建具であっても良い。
要するに、本発明の建具は、枠に障子を、閉じ位置と開き位置とに亘って移動自在に設けたものであれば良い。
【００１６】
図１に示すように、他方の障子２ｂの上部に障子側部材３を設けると共に、枠１の上部に枠側部材４が設けてある。
この障子側部材３は図４、図５、図６に示すように、マグネット３０を備えたマグネット取付部３１と、このマグネット取付部３１の長手方向一端部に設けたガイド部３２を有し、そのガイド部３２が召合せ框２２の中空部２２ａ内に、その召合せ框２２の長手方向に移動自在に嵌合していると共に、マグネット取付部３１が上框２０の上向き凹部２０ａ内に、その上框２０の短手方向（上下方向）に移動自在に嵌合し、障子側部材３は上下方向、つまり、障子開閉方向と直角な方向に移動自在である。
このマグネット取付部３１には、上枠１０の被係止部、例えばレール１３に係止して障子側部材３が開き側に移動しないように保持する係止部３３が設けてある。この係止部３３のレール１３に係止する部分は、水平に対して障子閉じ側寄りが障子開き側寄りよりも上方となるような傾斜面である。
この傾斜面は、直線状の面であっても良いし、円弧状の面であっても良い。
マグネット取付部３１における係止部３３と開閉方向反対側の部分３１ａは係止部３３と反対向きの傾斜面で、マグネット取付部３１の係止部３３を形成する上方に突出した部分はほぼ台形状である。
なお、マグネット取付部３１の前述した上方に突出した部分はほぼ台形状に限ることはなく、ほぼ蒲鉾形状、半円形状、山形状でも良い。
【００１７】
前述した枠側部材４は、マグネット４０を備え、上枠１０の内側面１０ａにおけるレール１３よりも閉じ側寄り部分１０ｂに設けてある。
【００１８】
そして、障子２が閉じ位置のときには、障子側部材３のマグネット３０と枠側部材４のマグネット４０が吸着し合うことで、障子側部材３に上向きの力が負荷し、その障子側部材３は図５に示すように保持位置に移動し、係止部３３がレール１３に係止して障子が開き位置に向けて移動しないように保持する。
【００１９】
図５に示す障子閉じ状態から、障子２に開き位置に向かう力（矢印ａ）を負荷すると、障子側部材３の係止部３３の傾斜面がレール１３に摺接することによって、障子側部材３に下向きの力が負荷し、マグネット３０，４０の吸着力に抗して障子側部材３は下方に移動して係止部３３がレール１３よりも下方位置となった保持解除位置に移動するので、図６に示すように、障子２を開き位置に向けて移動できる。つまり、開放できる。
【００２０】
図６に示すように、障子２が開き側に移動して障子側部材３が保持解除位置に移動すると、その障子側部材３がレール１３よりも下方に位置するので、障子２を閉じ方向（矢印ｂ方向）に移動すると障子側部材３はレール１３と干渉せずに枠側部材４に接近し、マグネット４０，３０の吸着力で上向きの力が負荷され、障子２が閉じ位置に移動することで、図５に示す保持位置に移動する。
【００２１】
この際、障子２が閉じ位置のときに、障子側部材３（マグネット取付部３１）と枠側部材４の間に若干の隙間を生じるようにして、障子側部材３と枠側部材４とを接触しないようにしても良い。
このようにすれば、障子側部材３が枠側部材４に接触することによる音が発生しないので、消音効果に優れている。
また、障子側部材３と枠側部材４が緩衝材を介して接触させても消音効果を優れたものとしても良い。
なお、障子側部材３と枠側部材４を直接に接触させても良い。
【００２２】
このように、マグネット３０，４０の吸着力によってのみ障子２を閉じ位置で保持するのではなく、マグネット３０，４０の吸着力で障子側部材３を保持位置に移動し、その係止部３３がレール１３に係止することにより障子２が開き側に移動し難くしているから、障子２を閉じ位置で保持する力を大きくできる。
【００２３】
また、障子側部材３はガイド部３２が召合せ框２２の中空部２２ａに嵌合しているから、そのガイド部３２によって障子側部材３がスムーズに上下方向に移動するようにガイドすることができる。
しかも、ガイド部３２にマグネット取付部３１を設け、このマグネット取付部３１にマグネット３０を設けたので、マグネット取付部３１を長くしてマグネット３０を長くできるから、マグネット３０の吸着力による上向きの力、つまり障子側部材３を保持位置に向けて移動する力を大きくできる。
【００２４】
また、障子側部材３はマグネットの吸着力の作用によって上動して保持位置となり、その吸着力が作用しない場合は自重の作用により下動して保持解除位置となるため、下動する際の機構を簡単にすることができる。
なお、下動する機構は自重の作用に限らず、下動位置にマグネット等の吸着部材を設け、この吸着力の作用で確実に保持解除位置に移動するようにしても良い。例えば、障子側部材３と枠側部材４との吸着力よりも、保持解除位置に設けた吸着部材と障子側部材３の吸着部材との吸着力の方が小さくなるような設定にする。
これにより、障子を閉じ方向に移動して障子側部材３と枠側部材４とが接近することで障子側部材３と枠側部材４との吸着力により障子側部材３が上動する（保持位置側へ移動する）。また、障子を開放移動して障子側部材３と枠側部材４とがある程度離間することで障子側部材３と枠側部材４との吸着力よりも障子側部材３と保持解除位置側の吸着部材との吸着力が上回ることで、障子側部材３が下動する（保持解除位置側へ移動する）。
しかも、障子２を枠１に取り付けしたり、障子２を枠１から取り外す場合等に、障子側部材３は保持解除位置に吸着力で保持されて振動などによって上動することがなく、障子側部材３が枠１側に干渉して破損することを防止できる。
【００２５】
さらに、障子側部材３の係止部３３をレール１３に係止したので、そのレール１３を被係止部と兼用することができる。
なお、係止部３３が係止する被係止部をレール１３とは別に設けても良いことは勿論である。
【００２６】
図１に示す折戸を開放するときに、他方の障子２ｂの摺動部材２６は上枠１０のレール１３に沿って移動するので、その摺動部材２６が前述の枠側部材４と干渉することがある。
つまり、前述のように障子側部材３の係止部３３をレール１３に係止するので、そのレール１３と枠側部材４との間隔が小さく、そのレール１３に沿って移動する摺動部材２６が枠側部材３と干渉することがある。
そこで、枠側部材４を面外方向に移動自在とし、前述のように障子２を開放するときに、レール１３に沿って移動する摺動部材２６が枠側部材４と干渉すると、その枠側部材４が面外方向におけるレール１３と離れる方向に移動し、障子２を閉じたときにはマグネットの吸着力でレール１３に接近する方向に移動するようにしてある。
【００２７】
枠側部材４の取り付けを図４、図５、図７に基づいて説明する。
枠側部材４はマグネット４０を内蔵した本体部４１と、その本体部４１の長手方向両側に設けた取付部４２を有し、その取付部４２に面外方向に向かう長孔４３を形成する。
この長孔４３から、段付きの取付ねじ４４を上枠１０の上面１０ａにおけるレール１３よりも閉じ側寄り部分１０ｂに螺合して枠側部材４を取り付け、枠側部材４の長孔４３が段付きの取付ねじ４４に沿って面外方向に移動可能に取り付ける。前記本体部４１のコーナー部４１ａを斜めとして摺動部材２６が干渉したときに面外方向に移動し易くしてある。
【００２８】
前述の実施の形態では、障子側部材３と枠側部材４とにマグネット３０，４０をそれぞれ設けたが、どちらか一方にマグネットを設け、この一方に設けたマグネットが吸着する吸着部材を他方に設ければ良い。例えば、吸着部材としてはマグネットに限らず鉄片などでも良い。つまり、障子側部材３と枠側部材４の少なくともいずれかに設けたマグネットの吸着力で保持解除位置から保持位置に移動するようにすれば良い。
【００２９】
前述の実施の形態では、障子側部材３と枠側部材４を面外方向に位置をずらしたが、面外方向に同一位置としても良い。
例えば、障子側部材３の真上に枠側部材４を設け、その障子側部材３の上端部を山形状として係止部とする。枠側部材４は被係止部となる下向き凹部を有し、障子側部材３が保持位置のときに、この下向き凹部に障子部材３の上端部が係合するようにする。
【符号の説明】
【００３３】
１…枠、２…障子、３…障子側部材、４…枠側部材、１０…上枠、１３…レール（被係止部）、２０…上框、２２…召合せ框、２２ａ…中空部、３０…マグネット、３１…マグネット取付部、３２…ガイド部、３３…係止部、４０…マグネット。
【図１】
0005692752.tif 000002
【図２】
0005692752.tif 000003
【図３】
0005692752.tif 000004
【図４】
0005692752.tif 000005
【図５】
0005692752.tif 000006
【図６】
0005692752.tif 000007
【図７】
0005692752.tif 000008